(57)【要約】【課題】卵子細胞膜への刺入抵抗が少なく、顕微授精手技を容易なものとする顕微授精用中空ガラス針を提供するものである。【解決手段】顕微授精用中空ガラス針１は、先端に設けられた刃面３と、刃面３と連通する精子収納用内腔５とを有する。刃面３は、略三角形の刃先面３１と、平坦楕円弧状の刃元面３２と、刃先面３１および刃元面３２に対して所定角度傾斜した第１の側部刃面３３および第２の側部刃面３４とを有する。刃先面３１と第１の側部刃面３３および第２の側部刃面３４は、異なる方向を向いており、かつ、刃面３は、略三角形の刃先面３１の側縁により形成されたＶ字状先端部刃面端５１と、第１の側部刃面３３および第２の側部刃面３４により形成された向かい合いかつ直線状に延びる２つの側部刃面端４３，４４を備えている。【選択図】図２
0003169045.tif 000002
【実用新案登録請求の範囲】
【請求項１】
先端に設けられた刃面と、精子収納用内腔とを有する顕微授精用中空ガラス針であって、
前記刃面は、前記内腔と連通する刃面開口部を備え、さらに、前記刃面は、先端部に形成され、前記ガラス針の中心軸に対して所定角度斜めとなった略三角形の刃先面と、前記刃面の基端部に形成され、前記中心軸に対して所定角度斜めとなった刃元面と、先端部が前記刃先面の一方の側部に位置し、他端が前記刃元面の一方の側部に位置し、かつ、前記刃先面に対して所定角度傾斜した第１の側部刃面と、先端部が前記刃先面の他方の側部に位置し、他端が前記刃元面の他方の側部に位置し、かつ、前記刃先面に対して所定角度傾斜した第２の側部刃面とを有し、前記刃先面に対して前記第１の側部刃面および前記第２の側部刃面は、異なる方向を向いており、かつ、前記刃面は、前記略三角形の刃先面の側縁により形成されたＶ字状先端部刃面端と、前記第１の側部刃面および前記第２の側部刃面により形成された向かい合いかつ直線状に延びる２つの側部刃面端を備えていることを特徴とする顕微授精用中空ガラス針。
【請求項２】
前記刃先面は、前記中心軸に対する傾斜角度が、前記刃元面の前記中心軸に対する傾斜角度より、小さいものとなっている請求項１に記載の顕微授精用中空ガラス針。
【請求項３】
前記刃先面は、刃先面先端部が、引き延ばされ、前記中心軸に対する傾斜角度が、前記刃元面の前記中心軸に対する傾斜角度より、前記中心軸と平行に近い延出刃先部を備えている請求項１または２に記載の顕微授精用中空ガラス針。
【請求項４】
前記刃先面は、前記延出刃先部と、前記延出刃先部と前記刃面開口部間に位置し、前記刃先延出部の傾斜角度より、傾斜角度が大きい基部側刃先部を備えている請求項３に記載の顕微授精用中空ガラス針。
【請求項５】
前記刃面開口部は、前記刃先面の円弧状内縁により形成された円弧状先端縁と、前記刃元面の円弧状内縁により形成された円弧状基端縁と、前記第１の側部刃面の刃面端により、ほぼ直線状に形成された第１の側縁と、前記第２の側部刃面の刃面端により、ほぼ直線状に形成された第２の側縁とを有し、先端縁および基端縁が円弧状であり、両側部がほぼ直線状の開口部となっている請求項１ないし４のいずれかに記載の顕微授精用中空ガラス針。
【請求項６】
前記第１の側部刃面および前記第２の側部刃面は、先端より基端に向かって幅が徐々に広がり、かつ、前記側部刃面の途中より、基端側に向かって幅が徐々に減少するものとなっている請求項１ないし５のいずれかに記載の顕微授精用中空ガラス針。
【請求項７】
前記第１の側部刃面および前記第２の側部刃面の外縁は、楕円弧であり、かつ楕円の曲率の低い側部により形成されている請求項１ないし６のいずれかに記載の顕微授精用中空ガラス針。
【請求項８】
前記第１の側部刃面および前記第２の側部刃面は、基端が、前記刃元面の円弧状外縁付近に位置している請求項１ないし７のいずれかに記載の顕微授精用中空ガラス針。
【請求項９】
前記第１の側部刃面および前記第２の側部刃面は、先端が、前記刃先面の円弧状内縁にもしくは前記円弧状内縁より先端側に位置している請求項１ないし８のいずれかに記載の顕微授精用中空ガラス針。
【請求項１０】
前記ガラス針は、透明である請求項１ないし９のいずれかに記載の顕微授精用中空ガラス針。
【請求項１１】
前記刃元面は、所定幅を有する平坦楕円弧状となっている請求項１ないし１０のいずれかに記載の顕微授精用中空ガラス針。
【請求項１２】
先端に設けられた刃面と、精子収納用内腔とを有する顕微授精用中空ガラス針であって、
前記刃面は、前記内腔と連通する刃面開口部を備え、さらに、前記刃面は、先端部に形成され、前記ガラス針の中心軸に対して所定角度斜めとなった略三角形の刃先面と、前記刃面の基端部に形成され、前記中心軸に対して所定角度斜めとなった刃元面と、先端部が前記刃先面の一方の側部に位置し、他端が前記刃元面の一方の側部に位置し、かつ、前記刃先面に対して所定角度傾斜した第１の側部刃面と、先端部が前記刃先面の他方の側部に位置し、他端が前記刃元面の他方の側部に位置し、かつ、前記刃先面に対して所定角度傾斜した第２の側部刃面とを有し、前記刃先面に対して前記第１の側部刃面および前記第２の側部刃面は、異なる方向を向いており、かつ、前記刃面は、前記略三角形の刃先面の側縁により形成されたＶ字状先端部刃面端と、前記第１の側部刃面および前記第２の側部刃面により形成された向かい合いかつ直線状に延びる２つの側部刃面端を備え、前記刃面開口部は、前記刃先面の円弧状内縁により形成された円弧状先端縁と、前記刃元面の円弧状内縁により形成された円弧状基端縁と、前記第１の側部刃面の刃面端により、ほぼ直線状に形成された第１の側縁と、前記第２の側部刃面の刃面端により、ほぼ直線状に形成された第２の側縁とを有し、先端縁および基端縁が円弧状であり、両側部がほぼ直線状の開口部となっていることを特徴とする顕微授精用中空ガラス針。
【請求項１３】
前記刃先面は、前記中心軸に対する傾斜角度が、前記刃元面の前記中心軸に対する傾斜角度より、小さいものとなっている請求項１２に記載の顕微授精用中空ガラス針。
【請求項１４】
先端に設けられた刃面と、精子収納用内腔とを有する顕微授精用中空ガラス針であって、
前記刃面は、前記内腔と連通する刃面開口部を備え、さらに、前記刃面は、先端部に形成され、前記ガラス針の中心軸に対して所定角度斜めとなった略三角形の刃先面と、前記刃面の基端部に形成され、前記中心軸に対して所定角度斜めとなった刃元面と、先端部が前記刃先面の一方の側部に位置し、他端が前記刃元面の一方の側部に位置し、かつ、前記刃先面に対して所定角度傾斜した第１の側部刃面と、先端部が前記刃先面の他方の側部に位置し、他端が前記刃元面の他方の側部に位置し、かつ、前記刃先面に対して所定角度傾斜した第２の側部刃面とを有し、前記刃先面に対して前記第１の側部刃面および前記第２の側部刃面は、異なる方向を向いており、かつ、前記刃面は、前記略三角形の刃先面の側縁により形成されたＶ字状先端部刃面端と、前記第１の側部刃面および前記第２の側部刃面により形成された向かい合いかつ直線状に延びる２つの側部刃面端を備え、前記刃面開口部は、前記刃先面の円弧状内縁により形成された円弧状先端縁と、前記刃元面の円弧状内縁により形成された円弧状基端縁と、前記第１の側部刃面の刃面端により、ほぼ直線状に形成された第１の側縁と、前記第２の側部刃面の刃面端により、ほぼ直線状に形成された第２の側縁とを有し、先端縁および基端縁が円弧状であり、両側部がほぼ直線状の開口部となっており、前記刃先面は、刃先面先端部が、引き延ばされ、前記中心軸に対する傾斜角度が、前記刃元面の前記中心軸に対する傾斜角度より、前記中心軸と平行に近い延出刃先部を備えていることを特徴とする顕微授精用中空ガラス針。
【請求項１５】
前記刃先面は、前記延出刃先部と、前記延出刃先部と前記刃面開口部間に位置し、前記刃先延出部の傾斜角度より、傾斜角度が大きい基部側刃先部を備えている請求項１４に記載の顕微授精用中空ガラス針。
【請求項１６】
前記第１の側部刃面および前記第２の側部刃面は、先端より基端に向かって幅が徐々に広がり、かつ、前記側部刃面の途中より、基端側に向かって幅が徐々に減少するものとなっている請求項１２ないし１５のいずれかに記載の顕微授精用中空ガラス針。
【請求項１７】
前記第１の側部刃面および前記第２の側部刃面の外縁は、楕円弧であり、かつ楕円の曲率の低い側部により形成されている請求項１２ないし１６のいずれかに記載の顕微授精用中空ガラス針。
【請求項１８】
前記第１の側部刃面および前記第２の側部刃面は、基端が、前記刃元面の円弧状外縁付近に位置している請求項１２ないし１７のいずれかに記載の顕微授精用中空ガラス針。
【請求項１９】
前記第１の側部刃面および前記第２の側部刃面は、先端が、前記刃先面の円弧状内縁もしくは前記円弧状内縁より先端側に位置している請求項１２ないし１８のいずれかに記載の顕微授精用中空ガラス針。
【考案の詳細な説明】
【技術分野】
【０００１】
本考案は、顕微授精において、卵子に精子を注入するための顕微授精用中空ガラス針に関する。
【背景技術】
【０００２】
生殖補助技術（ＡＲＴ）として、重度の精液所見不良例などを対象として、顕微授精（ＩＣＳＩ）が行われている。顕微授精は、精子が雌性生殖路を遡上し、卵と受精、融合するまでの全ての過程を体外で行う方法である。この体外受精によれば、射精精液中に精子が極端に少ない症例や、精液中の精子が自力で卵子に侵入する能力（受精能）に欠けた症例であっても、受精が可能となる。
従来より、顕微授精用ガラス針が用いられている。従来より、細径の中空ガラス管の先端を斜めに切削したものが、用いられている。
【考案の概要】
【考案が解決しようとする課題】
【０００３】
卵子細胞膜は、ある程度の厚さと刺通抵抗を持っており、従来のガラス針では、刺入操作が困難であった。
本考案の目的は、上記事情に鑑み、卵子細胞膜への刺入抵抗が少なく、顕微授精手技を容易なものとする顕微授精用中空ガラス針を提供するものである。
【課題を解決するための手段】
【０００４】
上記目的を達成するものは、以下のものである。
（１）  先端に設けられた刃面と、精子収納用内腔とを有する顕微授精用中空ガラス針であって、
前記刃面は、前記内腔と連通する刃面開口部を備え、さらに、前記刃面は、先端部に形成され、前記ガラス針の中心軸に対して所定角度斜めとなった略三角形の刃先面と、前記刃面の基端部に形成され、前記中心軸に対して所定角度斜めとなった刃元面と、先端部が前記刃先面の一方の側部に位置し、他端が前記刃元面の一方の側部に位置し、かつ、前記刃先面に対して所定角度傾斜した第１の側部刃面と、先端部が前記刃先面の他方の側部に位置し、他端が前記刃元面の他方の側部に位置し、かつ、前記刃先面に対して所定角度傾斜した第２の側部刃面とを有し、前記刃先面に対して前記第１の側部刃面および前記第２の側部刃面は、異なる方向を向いており、かつ、前記刃面は、前記略三角形の刃先面の側縁により形成されたＶ字状先端部刃面端と、前記第１の側部刃面および前記第２の側部刃面により形成された向かい合いかつ直線状に延びる２つの側部刃面端を備えている顕微授精用中空ガラス針。
【０００５】
（２）  前記刃先面は、前記中心軸に対する傾斜角度が、前記刃元面の前記中心軸に対する傾斜角度より、小さいものとなっている上記（１）に記載の顕微授精用中空ガラス針。
（３）  前記刃先面は、刃先面先端部が、引き延ばされ、前記中心軸に対する傾斜角度が、前記刃元面の前記中心軸に対する傾斜角度より、前記中心軸と平行に近い延出刃先部を備えている上記（１）または（２）に記載の顕微授精用中空ガラス針。
（４）  前記刃先面は、前記延出刃先部と、前記延出刃先部と前記刃面開口部間に位置し、前記刃先延出部の傾斜角度より、傾斜角度が大きい基部側刃先部を備えている上記（３）に記載の顕微授精用中空ガラス針。
（５）  前記刃面開口部は、前記刃先面の円弧状内縁により形成された円弧状先端縁と、前記刃元面の円弧状内縁により形成された円弧状基端縁と、前記第１の側部刃面の刃面端により、ほぼ直線状に形成された第１の側縁と、前記第２の側部刃面の刃面端により、ほぼ直線状に形成された第２の側縁とを有し、先端縁および基端縁が円弧状であり、両側部がほぼ直線状の開口部となっている上記（１）ないし（４）のいずれかに記載の顕微授精用中空ガラス針。
（６）  前記第１の側部刃面および前記第２の側部刃面は、先端より基端に向かって幅が徐々に広がり、かつ、前記側部刃面の途中より、基端側に向かって幅が徐々に減少するものとなっている上記（１）ないし（５）のいずれかに記載の顕微授精用中空ガラス針。
（７）  前記第１の側部刃面および前記第２の側部刃面の外縁は、楕円弧であり、かつ楕円の曲率の低い側部により形成されている上記（１）ないし（６）のいずれかに記載の顕微授精用中空ガラス針。
（８）  前記第１の側部刃面および前記第２の側部刃面は、基端が、前記刃元面の円弧状外縁付近に位置している上記（１）ないし（７）のいずれかに記載の顕微授精用中空ガラス針。
（９）  前記第１の側部刃面および前記第２の側部刃面は、先端が、前記刃先面の円弧状内縁にもしくは前記円弧状内縁より先端側に位置している上記（１）ないし（８）のいずれかに記載の顕微授精用中空ガラス針。
（１０）  前記ガラス針は、透明である上記（１）ないし（９）のいずれかに記載の顕微授精用中空ガラス針。
（１１）  前記刃元面は、所定幅を有する平坦楕円弧状となっている上記（１）ないし（１０）のいずれかに記載の顕微授精用中空ガラス針。
【０００６】
（１２）  先端に設けられた刃面と、精子収納用内腔とを有する顕微授精用中空ガラス針であって、
前記刃面は、前記内腔と連通する刃面開口部を備え、さらに、前記刃面は、先端部に形成され、前記ガラス針の中心軸に対して所定角度斜めとなった略三角形の刃先面と、前記刃面の基端部に形成され、前記中心軸に対して所定角度斜めとなった刃元面と、先端部が前記刃先面の一方の側部に位置し、他端が前記刃元面の一方の側部に位置し、かつ、前記刃先面に対して所定角度傾斜した第１の側部刃面と、先端部が前記刃先面の他方の側部に位置し、他端が前記刃元面の他方の側部に位置し、かつ、前記刃先面に対して所定角度傾斜した第２の側部刃面とを有し、前記刃先面に対して前記第１の側部刃面および前記第２の側部刃面は、異なる方向を向いており、かつ、前記刃面は、前記略三角形の刃先面の側縁により形成されたＶ字状先端部刃面端と、前記第１の側部刃面および前記第２の側部刃面により形成された向かい合いかつ直線状に延びる２つの側部刃面端を備え、前記刃面開口部は、前記刃先面の円弧状内縁により形成された円弧状先端縁と、前記刃元面の円弧状内縁により形成された円弧状基端縁と、前記第１の側部刃面の刃面端により、ほぼ直線状に形成された第１の側縁と、前記第２の側部刃面の刃面端により、ほぼ直線状に形成された第２の側縁とを有し、先端縁および基端縁が円弧状であり、両側部がほぼ直線状の開口部となっている顕微授精用中空ガラス針。
（１３）  前記刃先面は、前記中心軸に対する傾斜角度が、前記刃元面の前記中心軸に対する傾斜角度より、小さいものとなっている上記（１２）に記載の顕微授精用中空ガラス針。
【０００７】
（１４）  先端に設けられた刃面と、精子収納用内腔とを有する顕微授精用中空ガラス針であって、
前記刃面は、前記内腔と連通する刃面開口部を備え、さらに、前記刃面は、先端部に形成され、前記ガラス針の中心軸に対して所定角度斜めとなった略三角形の刃先面と、前記刃面の基端部に形成され、前記中心軸に対して所定角度斜めとなった刃元面と、先端部が前記刃先面の一方の側部に位置し、他端が前記刃元面の一方の側部に位置し、かつ、前記刃先面に対して所定角度傾斜した第１の側部刃面と、先端部が前記刃先面の他方の側部に位置し、他端が前記刃元面の他方の側部に位置し、かつ、前記刃先面に対して所定角度傾斜した第２の側部刃面とを有し、前記刃先面に対して前記第１の側部刃面および前記第２の側部刃面は、異なる方向を向いており、かつ、前記刃面は、前記略三角形の刃先面の側縁により形成されたＶ字状先端部刃面端と、前記第１の側部刃面および前記第２の側部刃面により形成された向かい合いかつ直線状に延びる２つの側部刃面端を備え、前記刃面開口部は、前記刃先面の円弧状内縁により形成された円弧状先端縁と、前記刃元面の円弧状内縁により形成された円弧状基端縁と、前記第１の側部刃面の刃面端により、ほぼ直線状に形成された第１の側縁と、前記第２の側部刃面の刃面端により、ほぼ直線状に形成された第２の側縁とを有し、先端縁および基端縁が円弧状であり、両側部がほぼ直線状の開口部となっており、前記刃先面は、刃先面先端部が、引き延ばされ、前記中心軸に対する傾斜角度が、前記刃元面の前記中心軸に対する傾斜角度より、前記中心軸と平行に近い延出刃先部を備えている顕微授精用中空ガラス針。
（１５）  前記刃先面は、前記延出刃先部と、前記延出刃先部と前記刃面開口部間に位置し、前記刃先延出部の傾斜角度より、傾斜角度が大きい基部側刃先部を備えている上記（１４）に記載の顕微授精用中空ガラス針。
（１６）  前記第１の側部刃面および前記第２の側部刃面は、先端より基端に向かって幅が徐々に広がり、かつ、前記側部刃面の途中より、基端側に向かって幅が徐々に減少するものとなっている上記（１２）ないし（１５）のいずれかに記載の顕微授精用中空ガラス針。
（１７）  前記第１の側部刃面および前記第２の側部刃面の外縁は、楕円弧であり、かつ楕円の曲率の低い側部により形成されている上記（１２）ないし（１６）のいずれかに記載の顕微授精用中空ガラス針。
（１８）  前記第１の側部刃面および前記第２の側部刃面は、基端が、前記刃元面の円弧状外縁付近に位置している上記（１２）ないし（１７）のいずれかに記載の顕微授精用中空ガラス針。
（１９）  前記第１の側部刃面および前記第２の側部刃面は、先端が、前記刃先面の円弧状内縁もしくは前記円弧状内縁より先端側に位置している上記（１２）ないし（１８）のいずれかに記載の顕微授精用中空ガラス針。
【考案の効果】
【０００８】
本考案の顕微授精用中空ガラス針は、先端に設けられた刃面と、刃面と連通する精子収納用内腔とを有する。刃面は、内腔と連通する刃面開口部を備え、顕微授精用中空ガラス針の中心軸に対して斜めとなる楕円状のものとなっており、刃面は、先端に形成され、中心軸に対して所定角度斜めとなった略三角形の刃先面と、刃先と中心軸に対して向かい合う位置に設けられ、中心軸に対して所定角度斜めとなった所定幅を有する平坦楕円弧状の刃元面と、先端部が刃先面の一方の側部に位置し、他端が刃元面の一方の側部に位置し、かつ、刃先面および刃元面に対して所定角度傾斜した第１の側部刃面と、中心軸に対して向かい合う位置に設けられ、先端部が刃先面の他方の側部に位置し、他端が刃元面の他方の側部に位置し、かつ、刃先面および刃元面に対して所定角度傾斜した第２の側部刃面とを有している。
この顕微授精用中空ガラス針は、略三角形の鋭利な刃先面を有することにより、卵子への初期刺入を容易なものとし、さらに、刃先面に続く向かい合う側部刃面を有し、この側部刃面は、刃先面と刃面が向く角度が大きく相違するとともに肉厚も薄くかつ刃面であるため、進行抵抗も少ない。このため、このガラス針は、刃面開口部の卵子への刺入抵抗が極めて少なく、刺入操作を極めて良好に行うことができる。
【図面の簡単な説明】
【０００９】
【図１】図１は、本考案の顕微授精用中空ガラス針の一実施例の部分省略正面図である。
【図２】図２は、図１に示した顕微授精用中空ガラス針の先端部の拡大正面図である。
【図３】図３は、図１に示した顕微授精用中空ガラス針の先端部の拡大左側面図である。
【図４】図４は、図２のＡ−Ａ線断面図である。
【図５】図５は、図２のＢ−Ｂ線拡大断面図である。
【図６】図６は、図２のＣ−Ｃ線拡大断面図である。
【図７】図７は、図２のＤ−Ｄ線拡大断面図である。
【図８】図８は、本考案の他の実施例の顕微授精用中空ガラス針の先端部の拡大側面図である。
【図９】図９は、本考案の他の実施例の顕微授精用中空ガラス針の先端部の拡大正面図である。
【図１０】図１０は、図９に示した顕微授精用中空ガラス針の先端部の拡大左側面図である。
【図１１】図１１は、図９のＥ−Ｅ線断面図である。
【図１２】図１２は、本考案の他の実施例の顕微授精用中空ガラス針の先端部の拡大側面図である。
【図１３】図１３は、参考例の顕微授精用中空ガラス針の先端部の拡大正面図である。
【図１４】図１４は、参考例の顕微授精用中空ガラス針の先端部の拡大正面図である。
【図１５】図１５は、図１３のＦ−Ｆ線拡大断面図である。
【図１６】図１６は、図１３のＧ−Ｇ線拡大断面図である。
【考案を実施するための形態】
【００１０】
本考案の顕微授精用中空ガラス針を図面に示した実施例を用いて説明する。
本考案の顕微授精用中空ガラス針１は、先端に設けられた刃面３と、刃面３と連通する精子収納用内腔５とを有する。さらに、刃面３は、先端部に形成され、ガラス針１の中心軸に対して所定角度斜めとなった略三角形の刃先面３１と、刃面３の基端部に形成され、ガラス針１の中心軸に対して所定角度斜めとなった所定幅を有する平坦楕円弧状の刃元面３２と、先端部が刃先面３１の一方の側部に位置し、他端が刃元面３２の一方の側部に位置し、かつ、刃先面３１および刃元面３２に対して所定角度傾斜した第１の側部刃面３３と、先端部が刃先面３１の他方の側部に位置し、他端が刃元面３２の他方の側部に位置し、かつ、刃先面３１および刃元面３２に対して所定角度傾斜した第２の側部刃面３４とを有する。刃先面３１と第１の側部刃面３３および第２の側部刃面３４は、異なる方向を向いており、かつ、刃面３は、略三角形の刃先面３１の側縁により形成されたＶ字状先端部刃面端５１と、第１の側部刃面３３および第２の側部刃面３４により形成された向かい合いかつ直線状に延びる２つの側部刃面端（直線状側部刃面端）４３，４４を備えている。
【００１１】
そこで、図面に示す実施例の顕微授精用中空ガラス針について説明する。
顕微授精用中空ガラス針１は、図１に示すように、中空本体部２と、その先端に形成された刃面３とを有する。
本考案のガラス針は、透明である。具体的には、無色透明であり、光透過性の高いものが好ましい。
中空本体部２は、図１に示すように、刃面３を有する細径の先端部２１と、先端部２１より外径が大きい基端部２２と、基端部２２と先端部２１間に位置し、基端側より先端側に向かって縮径するテーパー部２３とを有する。
先端部２１は、ほぼ同じ外径を有する小径部となっている。なお、先端部２１は、先端に向かってテーパー以上に縮径するものであってもよい。基端部２２は、ほぼ同じ外径を有する小径部となっている。なお、基端部２２は、先端に向かってテーパー以上に縮径するものであってもよい。テーパー部２３は、基端部２２から先端部２１に向かってテーパー状に縮径するものとなっている。そして、この実施例のガラス針１では、内腔５も中空本体部２の外径形状に対応して、内径が変化するものとなっており、基端部２２内の内径が大きく、先端部２１での内径が小さく、テーパー部２２では、内径も先端側に向かって縮径している。
【００１２】
そして、先端部２１の先端に形成された刃面３は、図２ないし図７に示すように、ガラス針１の中心軸に対して所定角度斜めとなった略三角形の刃先面３１を有している。刃先面３１は、図２ないし図４に示すように、ガラス針１の中心軸に平行に近いなだらかな傾斜面となっている。また、刃先面３１は、図５に示すように、平坦面となっている。そして、図２、図５に示すように、刃面３は、刃先面３１の側縁により形成されたＶ字状先端部刃面端５１を有している。このため、刃面３は、先端に鋭角に尖った鋭利な刃先部を有するものとなっており、卵子細胞膜への刺入が容易なものとなっている。
また、刃面３は、図２ないし図７に示すように、基端部に形成され、ガラス針１の中心軸に対して所定角度斜めとなった所定幅を有する平坦楕円弧状の刃元面３２を有している。刃元面３２は、図２ないし図４に示すように、ガラス針１の中心軸に対する傾斜角度が小さいなだらかな傾斜面となっている。また、刃元面３２は、図４に示すように、平坦面となっている。
また、刃面３は、図２ないし図７に示すように、先端部が刃先面３１の一方の側部に位置し、他端が刃元面３２の一方の側部に位置し、かつ、刃先面３１および刃元面３２に対して所定角度傾斜した第１の側部刃面３３を有している。このため、刃面３は、側部は斜めに削り取られた形状となっている。第１の側部刃面３３は、刃先面３１もしくは刃元面３２に対して、３０〜６０度傾斜していることが好ましく、特に、４０〜５０度傾斜していることが好ましい。また、この第１の側部刃面３３は、ガラス針１の中心軸に平行に近いなだらかな傾斜面となっている。また、第１の側部刃面３３は、図６に示すように、平坦面となっている。
【００１３】
さらに、刃面３は、図２ないし図７に示すように、先端部が刃先面３１の他方の側部に位置し、他端が刃元面３２の他方の側部に位置し、かつ、刃先面３１および刃元面３２に対して所定角度傾斜した第２の側部刃面３４を有している。このため、刃面３は、両側部が斜めに削り取られた形状となっている。第２の側部刃面３４は、刃先面３１もしくは刃元面３２に対して、３０〜６０度傾斜していることが好ましく、特に、４０〜５０度傾斜していることが好ましい。また、この第２の側部刃面３４は、ガラス針１の中心軸に平行に近いなだらかな傾斜面となっている。また、第２の側部刃面３４は、図６に示すように、平坦面となっている。そして、第１の側部刃面３３と第２の側部刃面３４は、ガラス針１の中心軸に対して、対称であることが好ましく、さらに、刃先端３１ａを通る刃先面３１の中心軸に対しても、ほぼ対称となっていることが好ましい。そして、本考案のガラス針１の刃面３では、刃先面３１（刃元面３２）と第１の側部刃面３３および第２の側部刃面３４は、異なる方向を向いており、第１の側部刃面３３および第２の側部刃面３４により形成された向かい合いかつ直線状に延びる２つの側部刃面端４３，４４を備えている。このため、刃面３は、刃先面３１のみならず、側部刃面３３，３４部分にも刃面端を有するため、刃面として機能する部分が軸方向に長く、刃面部分全体の卵子細胞壁への刺入を容易なものとしている。そして、第１の側部刃面３３と第２の側部刃面３４の上部刃端面（内縁）は、図２に示すように、刃先面３２を正面に見る正面視において、ガラス針１の中心軸にほぼ平行に延びるものとなっている。また、第１の側部刃面３３と第２の側部刃面３４の上部刃端面（内縁）は、側面視（刃先面と直交する方向から見た）において、若干削り取られた楕円もしくは曲線状となっているものであってもよい。
【００１４】
一般的なガラス針の刃面形状は、図１３もしくは図１４のような形状を有している。図１３に示すガラス針１００では、刃面１０３は、中空管１０２の先端を斜めに切削することにより形成されており、開口部１０４を有し、かつ、ある程度の幅を有する環状平坦面１０５を備えている。平坦面１０５は、刃先面１０５ａ、刃元面１０５ｃ、２つの側部刃面１０５ｂを有するが、全体的に同じ傾斜角度で、一体のものとなっている。このため、刃面１０３の外縁は、単なる楕円状であり、内縁（開口部内縁）も単なる楕円となっている。また、図１４に示すガラス針１１０は、上述したガラス針１００とほぼ同じ形状であるが、刃面１０３ａの先端部が、Ｖ字状に削り取られ、鋭角な先端刃面部１０６ａ、１０６ｂを有するものとなっている。ガラス針１１０の方が、ガラス針１００に比べて、初期刺入抵抗が少なく好ましい。
しかし、ガラス針１００，１１０のいずれにおいても、刃面１０３，１０３ａの側部刃面部１０５ｂの端部が、刃面として機能しうるのは、図１５に示すように、刃面１０３、１０３ａの軸方向中心部付近までであり、それ以降は、図１６に示すように、側部刃面１０５ｂの端部が、刃面として実質的に機能しない。また、刃面１０３、１０３ａの先端部を除き、刃面１０５ｂの軸方向中心部付近に至るまでにおいても、刃面の端部の刃面としての機能は、急激に低下するとともに、卵子細胞壁への挿入抵抗が上昇する。
【００１５】
これに対して、本考案のガラス針１では、図５に示す刃先面３１のＶ字状先端部刃面端５１が刃面として機能し、図６に示すように、第１の側部刃面３３の上部刃面端４３および下部刃面端（外縁）５３、第２の側部刃面３４の上部刃面端４４および下部刃面端（外縁）５４が刃面として機能する。そして、この状態は、図２および図７に示すように、上部刃面端４３および４４が、刃元面３２に到達するまで継続される。さらに、上部刃面端４３，４４部分は、ある程度の頂点角度を軸方向に保持するため、刃面端として有効に機能する。
よって、本考案のガラス針１は、上述したガラス針１００，１１０のようなものに比べて、刃面開口部の卵子への刺入抵抗が極めて少なく、刺入操作を極めて良好に行うことができる。
【００１６】
そして、この実施例のガラス針１では、刃先面３１は、ガラス針１の中心軸に対する傾斜角度が、刃元面３２のガラス針１の中心軸に対する傾斜角度より、小さいもの、言い換えれば、中心軸に対してなだらかなものとなっている。
また、本考案のガラス針１は、刃面３内に形成された刃面開口部４を有している。そして、刃面開口部４は、図２に示すように、刃先面３１の円弧状内縁により形成された円弧状先端縁４１と、刃元面３２の円弧状内縁により形成された円弧状基端縁４２と、第１の側部刃面３３の刃面端４３により、ほぼ直線状に形成された第１の側縁と、第２の側部刃面３４の刃面端４４により、ほぼ直線状に形成された第２の側縁とを有し、先端縁および基端縁が円弧状であり、両側部がほぼ直線状の開口部となっている。
そして、図２および図３に示すように、第１の側部刃面３３および第２の側部刃面３４は、先端より基端に向かって幅が徐々に広がり、かつ、側部刃面３３，３４の途中より、基端側に向かって幅が徐々に減少するものとなっている。また、第１の側部刃面３３の外縁５３および第２の側部刃面３４の外縁５４は、楕円弧であり、かつ楕円の曲率の低い側部により形成されている。同様に、第１の側部刃面３３の内縁（刃面端）４３および第２の側部刃面３４の内縁（刃面端）４４も、側面視では、直線状ではなく、曲率のかなり低い楕円弧となっている。
【００１７】
そして、この実施例のガラス針１では、図２および図３に示すように、第１の側部刃面３３および第２の側部刃面３４は、基端が、刃元面３２の円弧状外縁４５付近に位置している。特に、この実施例は、第１の側部刃面３３および第２の側部刃面３４は、基端が、刃元面３２の円弧状外縁４５にて終端しており、刃元面３２より、基端側に突出しないものとなっている。
また、この実施例のガラス針１では、図２および図３に示すように、第１の側部刃面３３および第２の側部刃面３４は、先端が、刃先面３１の円弧状内縁４１に位置するものとなっている。なお、図８に示すガラス針１ａのように、第１の側部刃面３３および第２の側部刃面３４は、先端が、刃先面３１の円弧状内縁４１より先端側に位置するもの、言い換えれば、刃先面と第１の側部刃面および第２の側部刃面の両者を有する部分を備えるものであってもよい。
【００１８】
また、ガラス針としては、図９ないし図１１に示すようなものであってもよい。
図９は、本考案の他の実施例の顕微授精用中空ガラス針の先端部の拡大正面図である。図１０は、図９に示した顕微授精用中空ガラス針の先端部の拡大左側面図である。図１１は、図９のＥ−Ｅ線断面図である。
この実施例のガラス針１０と上述した実施例のガラス針１との相違は、刃面３における刃先面の形状のみであり、その他の部分は、同じであるので、上述した説明を参照するものとする。
この実施例のガラス針１０は、上述した刃先面３１より先端に向かって長く延びる刃先面６１を有している。具体的には、刃先面６１は、刃先端６１ａを有し、引き延ばされ、ガラス針１０の中心軸に対する傾斜角度が、刃元面３２のガラス針１０の中心軸に対する傾斜角度より、ガラス針１０の中心軸と平行に近い延出刃先部６１ｂを備えている。さらに、この実施例では、図１０，図１１に示すように、刃先面６１は、延出刃先部６１ｂと、延出刃先部６１ｂと刃面開口部４間に位置し、延出刃先部６１ｂの傾斜角度より、傾斜角度が大きい基部側刃先部６１ｃを備えている。言い換えれば、刃先面６１は、刃面開口部と連続する基部側刃先部６１ｃと、基部側刃先部６１ｃと連続するとともに、傾斜角度が、基部側刃先部６１ｃよりなだらかに形成されるとともに所定長先端方向に延びる薄肉の延出刃先部６１ｂを有するものとなっている。
【００１９】
この実施例のガラス針１０では、刃先面６１は、上述したガラス針１が有する刃先面３１より、より鋭角であるＶ字状先端部刃面端７１を有し、かつ刃先面６１部分は、より薄いものとなるため、卵子細胞膜への刺入がより容易なものとなっている。
また、この実施例のガラス針１０では、図９および図１０に示すように、第１の側部刃面３３および第２の側部刃面３４は、先端が、刃先面６１の円弧状内縁４１に位置するものとなっている。なお、図１２に示すガラス針１０ａのように、第１の側部刃面３３および第２の側部刃面３４は、先端が、刃先面６１の円弧状内縁４１より先端側に位置するもの、言い換えれば、刃先面と第１の側部刃面および第２の側部刃面の両者を有する部分を備えるものであってもよい。
【符号の説明】
【００２０】
１  顕微授精用中空ガラス針
２  中空本体部
３  刃面
４  刃面開口部
３１  刃先面
３２  刃元面
３３  第１の側部刃面
３４  第２の側部刃面
５１  Ｖ字状先端部刃面端
４３，４４  側部刃面端
【図１】
0003169045.tif 000003
【図２】
0003169045.tif 000004
【図３】
0003169045.tif 000005
【図４】
0003169045.tif 000006
【図５】
0003169045.tif 000007
【図６】
0003169045.tif 000008
【図７】
0003169045.tif 000009
【図８】
0003169045.tif 000010
【図９】
0003169045.tif 000011
【図１０】
0003169045.tif 000012
【図１１】
0003169045.tif 000013
【図１２】
0003169045.tif 000014
【図１３】
0003169045.tif 000015
【図１４】
0003169045.tif 000016
【図１５】
0003169045.tif 000017
【図１６】
0003169045.tif 000018